(57)【要約】【構成】ディスク装置１０はディスク２２を含み、このディスク２２としてはＤＶＤ−ＲＷ或いはＤＶＤ＋ＲＷを装着することができる。たとえば、ディスク２２の記録面から反射されるレーザ光に基づいてウォブル信号が検出される。ＣＰＵ４０は、検出回路４８の検出結果からウォブル信号の周期（ウォブル周期）がデータ周期の３２倍であるか１８６倍であるかを判断する。そして、ウォブル周期がデータ周期の１８６倍であれば、ディスクの種類をＤＶＤ−ＲＷと判別し、ウォブル周期がデータ周期の３２倍であれば、ディスクの種類をＤＶＤ＋ＲＷと判別する。【効果】ウォブル周期に応じてディスクの種類を判別するので、トラックピッチや反射率が同じディスクであっても正確にディスクを判別でき、記録や再生を安定して実行できる。【選択図】　図１
2004110901.tif 000002
【特許請求の範囲】
【請求項１】
ＤＶＤ−ＲＷまたはＤＶＤ＋ＲＷのいずれかを判別するディスクの種類判別方法であって、
（ａ）　ディスクの記録面に記録されたウォブル信号を検出し、
（ｂ）　検出したウォブル信号の周期がデータ周期の１８６倍であるか３２倍であるかを判断し、そして
（ｃ）　ウォブル信号の周期がデータ周期の１８６倍であるとき前記ディスクの種類がＤＶＤ−ＲＷであると判別し、ウォブル信号の周期がデータ周期の３２倍であるとき前記ディスクの種類がＤＶＤ＋ＲＷであると判別する、ディスクの種類判別方法。
【請求項２】
ＤＶＤ−ＲＷまたはＤＶＤ＋ＲＷのいずれかを判別し、判別したディスクの種類に応じて記録再生を実行するディスク装置であって、
前記ディスクの記録面に記録されたウォブル信号を検出する検出手段、
前記検出手段によって検出されたウォブル信号の周期がデータ周期の１８６倍か３２倍かを判断する判断手段、および
前記ウォブル信号の周期がデータ周期の１８６倍であるとき前記ディスクの種類をＤＶＤ−ＲＷと判別し、前記ウォブル信号の周期がデータ周期の３２倍であるとき前記ディスクの種類をＤＶＤ＋ＲＷであると判別する判別手段を備える、ディスク装置。
【発明の詳細な説明】
【０００１】
【産業上の利用分野】
この発明はディスクの種類判別方法およびディスク装置に関し、特にたとえば、ＤＶＤ−ＲＷまたはＤＶＤ＋ＲＷのいずれかを判別し、判別したディスクの種類に応じて記録再生を実行する、ディスクの種類判別方法およびディスク装置に関する。
【０００２】
【従来の技術】
従来のこの種のディスク装置の一例が特許文献１に開示される。この従来技術のディスク判別装置は、ディスクを所定の回転数で回転駆動したときにウォブル信号の有無を検出する。ウォブル信号が無い場合には、ラフサーボ用と精密サーボ用の回転制御回路とを切り換えて、ＣＤまたはＤＶＤの再生信号にロックする異なるＰＬＬ回路からの出力（ロック信号）に応じて、ディスクがＣＤであるか、または、ＤＶＤであるかを判別する。一方、ウォブル信号が有る場合には、その周波数に基づいてディスクがＣＤ−Ｒであるか、または、ＤＶＤ−Ｒであるかを判別する。このディスク判別装置では、ディスクを判別した後では、ＣＤ（ＣＤ−Ｒ）またはＤＶＤ（ＤＶＤ−Ｒ）のそれぞれに対応した回転制御回路を選択するようにしていた。
【０００３】
【特許文献１】
特開平９−１９８７７９号（第４，５頁，第４図）
【０００４】
【発明が解決しようとする課題】
この従来技術では、ウォブル信号の周波数を検出するようにしてあるため、周波数の測定のための大規模なディジタル回路を設けている。しかし、ＣＤ（ＣＤ−Ｒ）とＤＶＤ（ＤＶＤ−Ｒ）とではトラックピッチや反射率が異なるため、ＣＤ（ＣＤ−Ｒ）またはＤＶＤ（ＤＶＤ−Ｒ）を判別して、それぞれに対応する回転制御回路を選択するような従来技術のディスク判別装置においては、ウォブル信号の周波数を検出するようなディジタル回路は不要であった。つまり、フォーカス信号に基づいて、ＣＤ（ＣＤ−Ｒ）またはＤＶＤ（ＤＶＤ−Ｒ）を容易に判別することが可能であった。
【０００５】
また、厳密に言えば、ＣＤとＤＶＤとを判別する場合やＣＤ−ＲとＤＶＤ−Ｒとを判別する場合には、上述したように、トラックピッチ等が異なるため、レーザ光の波長を変える必要があり、したがって、上述の従来技術では、ディスクを正確に判別することができなかった。
【０００６】
それゆえに、この発明の主たる目的は、トラックピッチや反射率が同じディスクであっても正確にディスクの種類を判別できる、ディスクの種類判別方法およびディスク装置を提供することである。
【０００７】
【課題を解決するための手段】
第１の発明は、ＤＶＤ−ＲＷまたはＤＶＤ＋ＲＷのいずれかを判別するディスクの種類判別方法であって、（ａ）　ディスクの記録面に記録されたウォブル信号を検出し、（ｂ）　検出したウォブル信号の周期がデータ周期の１８６倍であるか３２倍であるかを判断し、そして（ｃ）　ウォブル信号の周期がデータ周期の１８６倍であるときディスクの種類がＤＶＤ−ＲＷであると判別し、ウォブル信号の周期がデータ周期の３２倍であるときディスクの種類がＤＶＤ＋ＲＷであると判別する、ディスクの種類判別方法である。
【０００８】
第２の発明は、ＤＶＤ−ＲＷまたはＤＶＤ＋ＲＷのいずれかを判別し、判別したディスクの種類に応じて記録再生を実行するディスク装置であって、ディスクの記録面に記録されたウォブル信号を検出する検出手段、検出手段によって検出されたウォブル信号の周期がデータ周期の１８６倍か３２倍かを判断する判断手段、およびウォブル信号の周期がデータ周期の１８６倍であるときディスクの種類をＤＶＤ−ＲＷと判別し、ウォブル信号の周期がデータ周期の３２倍であるときディスクの種類をＤＶＤ＋ＲＷであると判別する判別手段を備える、ディスク装置である。
【０００９】
【作用】
ディスク装置には、ＤＶＤ−ＲＷ或いはＤＶＤ＋ＲＷのディスクを装着することができる。たとえば、ディスクの記録面から反射されるレーザ光に基づいてウォブル信号を検出し、検出したウォブル信号の周期がデータ周期の３２倍であるか１８６倍であるかを判断する。そして、ウォブル信号の周期がデータ周期の１８６倍であれば、ディスクの種類をＤＶＤ−ＲＷと判別し、ウォブル信号の周期がデータ周期の３２倍であれば、ディスクの種類をＤＶＤ＋ＲＷと判別する。
【００１０】
【発明の効果】
この発明によれば、ウォブル信号の周期に基づいてディスクの種類を判別するので、同じトラックピッチや反射率のディスクであっても正確にディスクの種類を判別することができる。
【００１１】
この発明の上述の目的，その他の目的，特徴および利点は、図面を参照して行う以下の実施例の詳細な説明から一層明らかとなろう。
【００１２】
【実施例】
図１を参照して、この実施例のディスク装置１０は光ピックアップ１２を含み、この光ピックアップ１２には対物レンズ１４が設けられる。この対物レンズ１４は、トラッキングアクチュエータ１６およびフォーカスアクチュエータ１８によって支持される。レーザダイオード２０から放出されたレーザ光は、図示しない光学系および対物レンズ１４を介してＤＶＤ−ＲＷ或いはＤＶＤ＋ＲＷのようなディスク２２の記録面に照射される。
【００１３】
なお、ディスク２２はターンテーブル２４の上に搭載（チャッキング）され、スピンドルモータ２６によって回転される。たとえば、ディスク２２はＣＬＶ（Ｃｏｎｓｔａｎｔ　Ｌｉｎｅａｒ　Ｖｅｌｏｃｉｔｙ）方式で回転可能であり、回転数は光ピックアップ１２が内周から外周へ移動するにつれて低下する。
【００１４】
また、ディスク２２の記録面には、凸状のランドトラックおよび凹状のグルーブトラックが１トラック毎に交互に形成される（図４参照）。
【００１５】
図２（Ａ）および図２（Ｂ）を参照して、記録面に照射されるレーザ光は、具体的には１つのメインビームＭと２つのサブビームＳ１およびＳ２とからなる。このうち、メインビームＭは所望のトラック（グルーブトラック）に照射され、サブビームＳ１およびＳ２は所望のトラックの両側に隣接するトラック（ランドトラック）に照射される。
【００１６】
なお、簡単のため、図２（Ａ）においては、ＤＶＤ＋ＲＷのディスク２２についてのみ示してあるが、ＤＶＤ−ＲＷのディスク２２の場合には所定周期（位置）毎にランドプリピット（ＬＰＰ）が形成される（図４参照）。
【００１７】
記録面で反射されたレーザ光は、対物レンズ１４および光学系を介して光検出器２８に照射される。メインビームＭは光検出素子２８ａ〜２８ｄによって検出され、サブビームＳ１は光検出素子２８ｅおよび２８ｆによって検出され、そして、サブビームＳ２は光検出素子２８ｇおよび２８ｈによって検出される。
【００１８】
光検出素子２８ａ〜２８ｈで検出されたメインビームＭ、サブビームＳ１およびサブビームＳ２は、それぞれ、電流に変換され、マトリックスアンプ３０に出力される。マトリックスアンプ３０は、光検出器２８（光検出素子２８ａ〜２８ｈ）の出力に対して数１〜数４に示すような周知の演算処理を施し、トラッキングエラ（ＴＥ）信号，フォーカスエラ（ＦＥ）信号、ウォブル（蛇行）信号およびＲＦ信号を、それぞれ検出する。ただし、ＴＥ信号はＤＰＰ（Ｄｉｆｆｅｒｎｔｉａｌ　Ｐｕｓｈ−Ｐｕｌｌ）方式で検出され、ウォブル信号はＰＰ（Ｐｕｓｈ−Ｐｕｌｌ）方式で検出される。
【００１９】
【数１】
ＴＥ＝｛（Ａ＋Ｂ）−（Ｃ＋Ｄ）｝−α｛（Ｅ＋Ｈ）−（Ｆ＋Ｇ）｝
【００２０】
【数２】
ＦＥ＝（Ａ＋Ｃ）−（Ｂ＋Ｄ）
【００２１】
【数３】
ウォブル＝（Ａ＋Ｂ）−（Ｃ＋Ｄ）
【００２２】
【数４】
ＲＦ＝Ａ＋Ｂ＋Ｃ＋Ｄ
なお、数１〜数４における“Ａ”〜“Ｈ”は、それぞれ光検出素子２２ａ〜２２ｈの出力に対応する。
【００２３】
図１に戻って、マトリックスアンプ３０で検出されたＴＥ信号、ＦＥ信号およびウォブル信号は、それぞれ、図示しないＡ／Ｄ変換器を介してＤＳＰ３２に与えられる。ＤＳＰ３２は、ディジタル変換されたＴＥ信号に基づいてトラッキングサーボおよびスレッドサーボを実行し、トラッキングアクチュエータ制御信号およびスレッドモータ制御信号を生成する。生成されたトラッキングアクチュエータ制御信号およびスレッドモータ制御信号は、それぞれ、ドライバ３４ｂおよびドライバ３４ｃによって、トラッキングアクチュエータ制御電圧およびスレッド制御電圧に変換され、トラッキングアクチュエータ１６およびスレッドモータ３６に与えられる。これによって、光学レンズ１４の径方向（スレッド方向）の位置と、スレッドモータ３６の回転速度および回転方向とが制御される。ただし、スレッドモータ３６は、周知のとおり、ラックピニオン方式等により光ピックアップ１２に連結されるため、スレッドサーボにより、光ピックアップ１２の移動方向（移動速度）および位置（変位）が制御される。
【００２４】
また、ＤＳＰ３２は、ディジタル変換されたＦＥ信号に基づいてフォーカスサーボを実行し、フォーカス制御信号を生成する。生成されたフォーカス制御信号はドライバ３４ａによってフォーカス制御電圧に変換され、フォーカスアクチュエータ１８に与えられる。これによって、フォーカスつまり対物レンズ１４の光軸上の位置（レンズ位置）が調整される。つまり、フォーカス方向の位置が調整される。
【００２５】
さらに、ＤＳＰ３２は、ディジタル変換されたウォブル信号に基づいてスピンドルサーボ（以下、「ＣＬＶサーボ」という。）を実行し、スピンドル制御信号を生成する。生成されたスピンドル制御信号はドライバ３４ｄによってスピンドルモータ制御電圧に変換され、スピンドルモータ２６に与えられる。これによって、スピンドルモータ２６（ターンテーブル２４）すなわちディスク２２の回転速度および回転方向が調整される。
【００２６】
ただし、ディスク２２をディスク装置１０に装着した当初では、ディスク２２の信号すなわちウォブル信号を正確に読み取ることができないため、ＦＧパルスによるスピンドルサーボが実行される。つまり、スピンドルモータ２６の回転数がエンコーダ（図示せず）によってパルス変換され、これにより生成されたＦＧパルスがＤＳＰ３２に与えられる。ＤＳＰ３２は、与えられたＦＧパルスに基づいてスピンドルモータ２６の回転数を検出し、所望の回転数になるように、スピンドル制御信号を生成する。生成されたスピンドル制御信号はドライバ３４ｄによってスピンドルモータ制御電圧に変換され、スピンドルモータ２６に与えられる。
【００２７】
このように、ＦＧパルスに基づいてスピンドルサーボ（ＦＧサーボ）を実行することもできるが、ＣＬＶサーボに比べて回転制御が粗い。
【００２８】
また、マトリックスアンプ３０で検出されたＲＦ信号（再生信号）は、エンコーダ／デコーダ３８に与えられる。なお、エンコーダ／デコーダ３８は、エンコードとデコーダとを一体的に形成したＩＣ等である。このエンコーダ／デコーダ３８は、ＣＰＵ４０の指示の下、ＤＶＤ＋ＲＷアドレス検出回路（デコーダ）４２或いはＤＶＤ−ＲＷアドレス検出回路（デコーダ）４４から与えられるアドレス情報に従ってＲＦ信号をデコードし、インターフェイス（Ｉ／Ｆ）を介して図示しないＰＣのようなホストコンピュータに出力する。
【００２９】
デコーダ４２は、図３（Ａ）に示すように、ＤＶＤ＋ＲＷのディスク２２を再生した場合に得られるウォブル信号の位相が反転する位置（反転位置）を検出し、その反転位置に基づいて検出したアドレス情報および記録時におけるタイミング情報をエンコーダ／デコーダ３８に与える。
【００３０】
また、デコーダ４４は、図３（Ｂ）に示すように、ＤＶＤ−ＲＷのディスク２２を再生した場合に得られるウォブル信号に含まれる（重畳される）プリピット信号を検出し、このプリピット信号に基づいて検出したアドレス情報および記録時におけるタイミング情報をエンコーダ／デコーダ３８に与える。
【００３１】
このデコーダ４２およびデコーダ４４は、スイッチＳＷによって切り換えられる。このスイッチＳＷは、ディスク装置１０に装着されたディスク２２の種類に応じて、ＣＰＵ４０によって切り換えられる。
【００３２】
また、エンコーダ／デコーダ３８は、ホストコンピュータから入力される信号（記録信号）をエンコードしてピット信号を生成し、このピット信号をデコーダ４２或いはデコーダ４４からのアドレス情報およびタイミング情報に従ってレーザ駆動回路４６に与える。レーザ駆動回路４６は、ＣＰＵ４０の指示の下、エンコーダ／デコーダ３８から与えられるピット信号に従ってレーザダイオード２０を駆動する。したがって、ホストコンピュータから与えられた記録信号がディスク２２の記録面の所望の位置（アドレス）に記録される。
【００３３】
ディスク２２の一部の構造を示す図４（Ａ）および図４（Ｂ）を参照して分かるように、ＤＶＤ＋ＲＷのディスク２２では、図４（Ａ）に示すように、トラック（グルーブトラックおよびランドトラック）はウォブルのみで形成される。一方、ＤＶＤ−ＲＷのディスク２２では、図４（Ｂ）に示すように、隣接するグルーブトラックの間のランドトラックに所定周期（所定間隔）でＬＰＰが形成される。このようなディスク２２は、図４においては省略するが、ＤＶＤ−ＲＷ或いはＤＶＤ＋ＲＷに拘わらず、ＰＣ基板、反射層、保護層および記録層が積層されて形成される。また、トラックピッチや反射率も同じである。
【００３４】
つまり、ＤＶＤ−ＲＷとＤＶＤ＋ＲＷとでは、トラックピッチやレーザ光の反射率は同じであるが、ディスク２２の記録面に記録されるウォブル信号（ウォブル）の周期（以下、「ウォブル周期」という。）が異なる。具体的には、ＤＶＤ−ＲＷのウォブル周期が１８６Ｔであるのに対し、ＤＶＤ＋ＲＷのウォブル周期は３２Ｔである。ただし、Ｔはデータ周期すなわち再生信号（ＲＦ信号）の周期である。したがって、ディスク２２の種類を正確に判断しなければ、記録や再生を実行することができない。たとえば、ＤＶＤ−ＲＷのディスク２２が装着されているにも拘わらず、ＤＶＤ＋ＲＷのディスク２２が装着されていると判断してしまった場合には、ＣＬＶサーボを正確に実行することができず、スピンドルモータ２６が暴走してしまう恐れがある。また、デコーダ４２或いはデコーダ４４を正確に選択することができない。このため、ディスク２２からの信号の再生やディスク２２への信号の記録が不安定になってしまう。
【００３５】
そこで、この実施例では、ディスク装置１０の主電源がオンされたり、ディスク２２が交換（装着）されたりした場合に、ディスク２２がＤＶＤ−ＲＷであるかＤＶＤ＋ＲＷであるかを判別するようにしてある。たとえば、この実施例では、ウォブル周期に基づいてディスク２２の種類を判別するようにしてある。
【００３６】
つまり、図１に示すように、マトリックスアンプ３０から出力されるウォブル信号は検出回路４８に入力され、この検出回路４８によってウォブル周期が３２Ｔであるか１８６Ｔであるかが検出（判断）される。その結果がＣＰＵ４０に与えられ、ウォブル周期が３２Ｔであれば、ＣＰＵ４０はディスク２２がＤＶＤ−ＲＷであると判別する。一方、ウォブル周期が１８６Ｔであれば、ＣＰＵ４０はディスク２２がＤＶＤ＋ＲＷであると判別する。
【００３７】
検出回路４８の具体的な構成は、図５および図６に示される。この図５を参照して、検出回路４８はコンパレータ５０を含み、このコンパレータ５０にマトリックスアンプ３０から出力されたウォブル信号が入力される。コンパレータ５０は、０レベルを閾値として、ウォブル信号をディジタル変換する。つまり、図３（Ｃ）に示すようなハイレベル（Ｈ）およびローレベル（Ｌ）の２値で表される矩形波がコンパレータ５０から出力される。この矩形波は、３２Ｔ検出回路５２および１８６Ｔ検出回路５４に入力される。
【００３８】
なお、図３（Ｃ）は、図３（Ｂ）に示すＤＶＤ−ＲＷのディスク２２を再生した場合に得られるウォブル信号に基づいてコンパレータ５０で生成された矩形波を示してある。
【００３９】
図５に示すように、コンパレータ５０から出力された矩形波は、シリアルパラレル変換回路５６に入力される。シリアルパラレル変換回路５６は、図示は省略するが、１６段のフリップフロップを含む（１６ビットの）シフトレジスタであり、それぞれのフリップフロップ（ビット）にはデータ周期Ｔと同じ周期（周波数）の基準クロック（２６．１６ＭＨｚ）が入力される。
【００４０】
なお、このようなシフトレジスタの動作は既に周知であるため、この実施例では、詳細な動作の説明については省略することにする。
【００４１】
このシリアルパラレル変換回路５６は、矩形波のハイレベル期間が１６個存在するか否かを検出する。つまり、シフトレジスタのそれぞれのビット（０〜１５のビット）からハイレベル（Ｈ）の信号が出力される場合には、アンド回路６２からハイレベル（Ｈ）の信号が出力される。これは、矩形波のハイレベル期間が１６個存在することを意味する。ただし、いずれか１つ以上のビットからローレベル（Ｌ）の信号が出力されると、アンド回路６０からローレベル（Ｌ）の信号が出力される。これは、矩形波のハイレベル期間が１６個存在しないことを意味する。
【００４２】
また、シリアルパラレル変換回路５６から出力された矩形波は、インバータ回路５８でハイレベルとローレベルとが反転され、シリアルパラレル変換回路６０に入力される。このシリアルパラレル変換回路６０は、シリアルパラレル変換回路５６と同じ構成であり、コンパレータ５０から出力された矩形波に含まれるローレベル期間が１６個存在するか否かを検出する。つまり、シフトレジスタのそれぞれのビットからハイレベル（Ｈ）の信号が出力される場合には、アンド回路６４からハイレベル（Ｈ）の信号が出力される。これは、矩形波のローレベル期間が１６個存在することを意味する。ただし、いずれか１つ以上のビットからローレベル（Ｌ）の信号が出力されると、アンド回路６４からローレベル（Ｌ）の信号が出力される。これは、矩形波のローレベル期間が１６個存在しないことを意味する。
【００４３】
また、アンド回路６２およびアンド回路６４からの出力は、アンド回路６６に入力され、アンド回路６２およびアンド回路６４からハイレベル（Ｈ）の信号が出力される場合には、アンド回路６６からハイレベル（Ｈ）の信号がＣＰＵ４０に入力される。一方、アンド回路６２またはアンド回路６４の少なくとも一方からローレベル（Ｌ）の信号が出力される場合には、アンド回路６６からローレベル（Ｌ）の信号がＣＰＵ４０に入力される。
【００４４】
ここで、アンド回路６６からハイレベル（Ｈ）の信号がＣＰＵ４０に入力されるのは、矩形波のハイレベル期間およびローレベル期間がそれぞれ１６個存在する場合であり、したがって、矩形波（ウォブル信号）の周期は基準クロックの周期の３２倍すなわち３２Ｔであると言える。したがって、ＣＰＵ４０は、アンド回路６６からハイレベル（Ｈ）の信号が入力された場合には、ウォブル周期が３２Ｔであると判断して、ディスク２２の種類をＤＶＤ＋ＲＷと判別する。
【００４５】
一方、アンド回路６６からローレベル（Ｌ）の信号がＣＰＵ４０に入力されるのは、矩形波のハイレベル期間またはローレベル期間の少なくとも一方が１６個存在しない場合であり、したがって、ウォブル信号の周期は３２Ｔでないと言える。したがって、ＣＰＵ４０は、アンド回路６６からローレベル（Ｌ）の信号が入力された場合には、ウォブル周期は３２Ｔでないと判断して、ディスク２２の種類を判別しない。
【００４６】
また、図６に示すように、１８６Ｔ検出回路５４のシリアルパレル変換回路７０には、コンパレータ５０から出力された矩形波が入力される。この１８６Ｔ検出回路５４は、上述の３２Ｔ検出回路５２において、シリアルパラレル変換回路５６および６０のシフトレジスタを０〜９２のビットで構成するようにした以外は同じ構成であるため、重複した説明は省略する。
【００４７】
つまり、この１８６Ｔ検出回路５４では、コンパレータ５０から出力された矩形波のハイレベル期間およびローレベル期間がそれぞれ９３個存在するかどうかを検出する。ハイレベル期間およびローレベル期間がそれぞれ９３個存在する場合には、アンド回路８０からハイレベル（Ｈ）の信号がＣＰＵ４０に入力される。一方、ハイレベル期間またはローレベル期間の少なくとも一方が９３個存在しない場合には、アンド回路８０からローレベル（Ｌ）の信号がＣＰＵ４０に入力される。
【００４８】
したがって、ＣＰＵ４０は、１８６Ｔ検出回路からハイレベル（Ｈ）の信号が入力された場合には、ウォブル周期が１８６Ｔであると判断して、ディスク２２の種類をＤＶＤ−ＲＷと判別する。一方、ＣＰＵ４０は、１８６Ｔ検出回路からローレベル（Ｌ）の信号が入力された場合には、ウォブル周期は１８６Ｔでないと判別して、ディスク２２の種類を判別しない。
【００４９】
具体的には、ＣＰＵ４０は、図７に示すフロー図に従ってディスクの種類判別処理を実行する。たとえば、ディスク装置１０の主電源がオンされたり、ディスク２２が交換（装着）されると、ＣＰＵ４０は処理を開始し、ステップＳ１でスピンドルをオンし、ＦＧサーボを実行する。つまり、ＤＳＰ３２に対してスピンドルモータ２６の駆動およびＦＧサーボの実行を指示し、これに応じて、ＤＳＰ３２がＦＧパルスに基づいてドライバ３４ｄを駆動する。つまり、スピンドルモータ２６（ディスク２２）が所望の回転数で回転するように制御される。
【００５０】
次にステップＳ３では、レーザをオンし、ステップＳ５ではフォーカスをオンし、ステップＳ７ではトラッキングをオンし、そして、ステップＳ９ではスレッドをオンする。つまり、ＣＰＵ４０は、レーザ駆動回路４６にレーザダイオード２０のオンを指示し、続いて、ＤＳＰ３２に対してフォーカスサーボ、トラッキングサーボおよびスレッドサーボの実行を指示する。
【００５１】
続いて、ステップＳ１１では、ウォブル周期が１８６Ｔであるかどうかを判断する。つまり、１８６Ｔ検出回路５４からハイレベル（Ｈ）の信号が入力されたかどうかを判断する。ステップＳ１１で“ＹＥＳ”であれば、つまり１８６Ｔ検出回路５４からハイレベル（Ｈ）の信号が入力されれば、ウォブル周期が１８６Ｔであると判断して、ステップＳ１３でデコーダ４４を選択する。つまり、ディスク２２の種類をＤＶＤ−ＲＷと判別して、スイッチＳＷをデコーダ４４側に切り換える。そして、ステップＳ１５で、ＤＶＤ−ＲＷについてのＣＬＶサーボのパラメータ（ＣＬＶパラメータ）をＤＳＰ３２に設定して、処理を終了する。
【００５２】
一方、ステップＳ１１で“ＮＯ”であれば、つまり３２Ｔ検出回路５２からハイレベル（Ｈ）の信号が入力されれば、ウォブル周期が３２Ｔであると判断して、ステップＳ１７でデコーダ４２を選択する。つまり、ディスク２２の種類をＤＶＤ＋ＲＷと判断して、スイッチＳＷをデコーダ４２側に切り換える。そして、ステップＳ１９で、ＤＶＤ＋ＲＷについてのＣＬＶパラメータをＤＳＰ３２に設定して、処理を終了する。
【００５３】
このように、ディスク２２の種類を判別し、その判別結果に応じてデコーダ４２或いはデコーダ４４が選択されるとともに、ディスク２２の種類に応じたＣＬＶパラメータがＤＳＰ３２に設定されるため、その後の記録／再生が適切に実行される。
【００５４】
なお、フロー図においては省略してあるが、３２Ｔ検出回路５２および１８６Ｔ検出回路５４のいずれからもハイレベル（Ｈ）の信号が入力されない場合には、繰り返しステップＳ１１の処理を実行するようにすればよい。この場合、一定時間経過しても、ステップＳ１１の処理が繰り返される場合には、ディスク２２の種類を判別できない旨をディスプレイ（図示せず）等に表示するようにすればよい。
【００５５】
この実施例によれば、ウォブル周期が３２Ｔであるか１８６Ｔであるかを検出して、ディスクの種類を判別するので、トラックピッチや反射率が同じディスクであっても正確にディスクの種類を判別することができる。
【図面の簡単な説明】
【図１】この発明の一実施例を示すブロック図である。
【図２】（Ａ）はメインビームおよびサブビームがディスクの記録面に照射されている状態を示す図解図であり、（Ｂ）は光検出気の構成を示す図解図である。
【図３】（Ａ）はＤＶＤ＋ＲＷから読み取られるウォブル信号を示す図解図であり、（Ｂ）はＤＶＤ−ＲＷから読み取られるウォブル信号を示す図解図であり、（Ｃ）はＤＶＤ−ＲＷから読み取られるウォブル信号をディジタル変換した場合の矩形波を示す図解図である。
【図４】（Ａ）はＤＶＤ＋ＲＷのディスク構造の一部を示す図解図であり、（Ｂ）はＤＶＤ−ＲＷのディスク構造の一部を示す図解図である。
【図５】図１実施例に示す検出回路の構成の一部を示す図解図である。
【図６】図１実施例に示す検出回路の構成の他の一部を示す図解図である。
【図７】図１実施例に示すＣＰＵのディスクの判別処理を示すフロー図である。
【符号の説明】
１０　…ディスク装置
１２　…光ピックアップ
３０　…マトリックスアンプ
３２　…ＤＳＰ
４０　…ＣＰＵ
４２　…ＤＶＤ＋ＲＷアドレス検出回路（デコーダ）
４４　…ＤＶＤ−ＲＷアドレス検出回路（デコーダ）
４８　…検出回路
５０　…コンパレータ
５２　…３２Ｔ検出回路
５４　…１８６Ｔ検出回路
５６，６０，７０，７４　…シリアルパラレル変換回路（シフトレジスタ）
【図１】
2004110901.tif 000003
【図２】
2004110901.tif 000004
【図３】
2004110901.tif 000005
【図４】
2004110901.tif 000006
【図５】
2004110901.tif 000007
【図６】
2004110901.tif 000008
【図７】
2004110901.tif 000009
【手続補正書】
【提出日】平成15年9月5日(2003.9.5)
【手続補正１】
【補正対象書類名】明細書
【補正対象項目名】０００５
【補正方法】変更
【補正の内容】
【０００５】
また、厳密に言えば、ＣＤとＤＶＤとを判別する場合やＣＤ−ＲとＤＶＤ−Ｒとを判別する場合には、上述したように、トラックピッチ等が異なるため、レーザ光の波長を変える必要があり、したがって、上述の従来技術では、ディスクを正確に判別することができなかった。
また、上述の従来技術は、ＤＶＤ／ＣＤとトラックピッチの異なるメディアに対応した技術なので、ＤＶＤ＋Ｒ，ＤＶＤ−Ｒのようにトラックピッチ、反射率の同じディスクには対応していない。
【手続補正２】
【補正対象書類名】明細書
【補正対象項目名】００４１
【補正方法】変更
【補正の内容】
【００４１】
このシリアルパラレル変換回路５６は、矩形波のハイレベル期間が１６個存在するか否かを検出する。つまり、シフトレジスタのそれぞれのビット（０〜１５のビット）からハイレベル（Ｈ）の信号が出力される場合には、アンド回路６２からハイレベル（Ｈ）の信号が出力される。これは、矩形波のハイレベル期間が１６個存在することを意味する。ただし、いずれか１つ以上のビットからローレベル（Ｌ）の信号が出力されると、アンド回路６２からローレベル（Ｌ）の信号が出力される。これは、矩形波のハイレベル期間が１６個存在しないことを意味する。


【手続補正３】
【補正対象書類名】明細書
【補正対象項目名】００４６
【補正方法】変更
【補正の内容】
【００４６】
また、図６に示すように、１８６Ｔ検出回路５４のシリアルパラレル変換回路７０には、コンパレータ５０から出力された矩形波が入力される。この１８６Ｔ検出回路５４は、上述の３２Ｔ検出回路５２において、シリアルパラレル変換回路５６および６０のシフトレジスタを０〜９２のビットで構成するようにした以外は同じ構成であるため、重複した説明は省略する。


【手続補正４】
【補正対象書類名】明細書
【補正対象項目名】００４９
【補正方法】変更
【補正の内容】
【００４９】
具体的には、ＣＰＵ４０は、図７に示すフロー図に従ってディスクの種類判別処理を実行する。たとえば、ディスク装置１０の主電源がオンされたり、ディスク２２が交換（装着）されたりすると、ＣＰＵ４０は処理を開始し、ステップＳ１でスピンドルをオンし、ＦＧサーボを実行する。つまり、ＤＳＰ３２に対してスピンドルモータ２６の駆動およびＦＧサーボの実行を指示し、これに応じて、ＤＳＰ３２がＦＧパルスに基づいてドライバ３４ｄを駆動する。つまり、スピンドルモータ２６（ディスク２２）が所望の回転数で回転するように制御される。


【手続補正５】
【補正対象書類名】明細書
【補正対象項目名】図面の簡単な説明
【補正方法】変更
【補正の内容】
【図面の簡単な説明】
【図１】この発明の一実施例を示すブロック図である。
【図２】（Ａ）はメインビームおよびサブビームがディスクの記録面に照射されている状態を示す図解図であり、（Ｂ）は光検出器の構成を示す図解図である。
【図３】（Ａ）はＤＶＤ＋ＲＷから読み取られるウォブル信号を示す図解図であり、（Ｂ）はＤＶＤ−ＲＷから読み取られるウォブル信号を示す図解図であり、（Ｃ）はＤＶＤ−ＲＷから読み取られるウォブル信号をディジタル変換した場合の矩形波を示す図解図である。
【図４】（Ａ）はＤＶＤ＋ＲＷのディスク構造の一部を示す図解図であり、（Ｂ）はＤＶＤ−ＲＷのディスク構造の一部を示す図解図である。
【図５】図１実施例に示す検出回路の構成の一部を示す図解図である。
【図６】図１実施例に示す検出回路の構成の他の一部を示す図解図である。
【図７】図１実施例に示すＣＰＵのディスクの判別処理を示すフロー図である。
【符号の説明】
１０　…ディスク装置
１２　…光ピックアップ
３０　…マトリックスアンプ
３２　…ＤＳＰ
４０　…ＣＰＵ
４２　…ＤＶＤ＋ＲＷアドレス検出回路（デコーダ）
４４　…ＤＶＤ−ＲＷアドレス検出回路（デコーダ）
４８　…検出回路
５０　…コンパレータ
５２　…３２Ｔ検出回路
５４　…１８６Ｔ検出回路
５６，６０，７０，７４　…シリアルパラレル変換回路（シフトレジスタ）